【事件の表示】
　特許第３０３９９２０号「シャッター付きサッシにおけるシャッターボックスの取付構造」の請求項１に係る特許に対する特許異議の申立てについて、次のとおり決定する。
【結　論】
　訂正を認める。
　特許第３０３９９２０号の請求項１に係る特許を維持する。
【理　由】
１．手続の経緯
　本件特許第３０３９９２０号に係る出願は、平成７年７月５日に出願した特願平７−１９２５６１号の一部を特許法第４４条第１項の規定により分割して平成９年４月１６日に新たな特許出願としたものであって、平成１２年３月３日に特許の設定登録がなされ、その後、斉藤敬三と三協アルミニウム工業株式会社から特許異議の申立がなされ、取消理由が通知され、その指定期間内である平成１３年４月１０日に訂正請求がなされたものである。
　
２．訂正の要旨
　訂正事項ａ：特許請求の範囲の請求項１の記載を、次のように訂正する。
　サッシ枠のサッシ上枠上方にシャッターボックスを取り付けてサッシ縦枠に設けたシャッターレールに沿ってシャッターボックスからシャッターを引き出して窓を覆うシャッター付きサッシにおいて、上記シャッターボックスを建屋躯体に設けたボックス取付枠に取り付けるとともに、上記ボックス取付枠をボックス上枠と左右のボックス縦枠及びボックス下枠とから形成し、上記ボックス上枠と左右のボックス縦枠の見込幅を建屋躯体の外壁の厚みよりも大きく形成し、ボックス取付枠のボックス上枠と左右のボックス縦枠を建屋躯体を構成する躯体基礎材の屋外側に取り付け、ボックス取付枠の上記建屋躯体側にはボックス取付枠と上記躯体基礎材とを遮蔽する遮蔽板を設けるとともに、上記サッシ枠を上記ボックス取付枠よりも屋外側に張り出すように形成し、上記シャッターボックスを上記サッシ枠の屋外側の張り出し部上に配置することを特徴とするシャッター付きサッシにおけるシャッターボックスの取付構造。
　訂正事項ｂ：明細書の段落【０００６】の記載を、次のように訂正する。
【課題を解決するための手段】前記課題を解決するため、本発明に係るシャッター付きサッシにおけるシャッターボックスの取付構造は、サッシ枠のサッシ上枠上方にシャッターボックスを取り付けてサッシ縦枠に設けたシャッターレールに沿ってシャッターボックスからシャッターを引き出して窓を覆うシャッター付きサッシにおいて、上記シャッターボックスを建屋躯体に設けたボックス取付枠に取り付けるとともに、上記ボックス取付枠をボックス上枠と左右のボックス縦枠及びボックス下枠とから形成し、上記ボックス上枠と左右のボックス縦枠の見込幅を建屋躯体の外壁の厚みよりも大きく形成し、ボックス取付枠のボックス上枠と左右のボックス縦枠を建屋躯体を構成する躯体基礎材の屋外側に取り付け、ボックス取付枠の上記建屋躯体側にはボックス取付枠と上記躯体基礎材とを遮蔽する遮蔽板を設けるとともに、上記サッシ枠を上記ボックス取付枠よりも屋外側に張り出すように形成し、上記シャッターボックスを上記サッシ枠の屋外側の張り出し部上に配置することを特徴とする。
　
３．訂正の適否
（１）訂正の目的の適否、新規事項の有無及び拡張・変更の存否
　上記訂正事項ａに係る訂正は、特許請求の範囲の減縮を目的とするものであり、願書に添付した明細書又は図面に記載した事項の範囲内のものであり、さらに、実質上特許請求の範囲を拡張し、又は変更するものではない。
　また、訂正事項ｂに係る訂正は、訂正事項ａに関連してなされた明りょうでない記載の釈明に該当し、願書に添付した明細書又は図面に記載した事項の範囲内のものであり、さらに、実質上特許請求の範囲を拡張し、又は変更するものではない。
　したがって、上記訂正は、特許法第１２０条の４第２項及び第３項で準用する特許法第１２６条第２項および第３項の規定に適合するので、当該訂正を認める。
　
４．異議の申立てについての判断
（１）本件訂正後発明
　本件訂正明細書の請求項１に係る発明は、訂正明細書の特許請求の範囲の請求項１に記載された下記の事項により特定されるとおりのものである（以下、「訂正後発明」という。）。
【請求項１】　サッシ枠のサッシ上枠上方にシャッターボックスを取り付けてサッシ縦枠に設けたシャッターレールに沿ってシャッターボックスからシャッターを引き出して窓を覆うシャッター付きサッシにおいて、上記シャッターボックスを建屋躯体に設けたボックス取付枠に取り付けるとともに、上記ボックス取付枠をボックス上枠と左右のボックス縦枠及びボックス下枠とから形成し、上記ボックス上枠と左右のボックス縦枠の見込幅を建屋躯体の外壁の厚みよりも大きく形成し、ボックス取付枠のボックス上枠と左右のボックス縦枠を建屋躯体を構成する躯体基礎材の屋外側に取り付け、ボックス取付枠の上記建屋躯体側にはボックス取付枠と上記躯体基礎材とを遮蔽する遮蔽板を設けるとともに、上記サッシ枠を上記ボックス取付枠よりも屋外側に張り出すように形成し、上記シャッターボックスを上記サッシ枠の屋外側の張り出し部上に配置することを特徴とするシャッター付きサッシにおけるシャッターボックスの取付構造。
　
（２）申立ての理由の概要
　申立人斉藤敬三は、証拠として、甲第１号証（実願平２−１０８９５５号（実開平４−６６２８９号）のマイクロフィルム）、甲第２号証（三協アルミニウム工業株式会社カタログ　シャッター一体サッシ「シェフリーナ」　１９９４年（平成６年）６月発行　ｐ．１７，３４，３６，３８，５４，５７，８８）を提出して、本件請求項１に係る特許発明は、甲第１号証に記載された発明と実質的に同一であり、少なくとも甲第１号証と甲第２号証に記載された発明に基づいて、当業者が容易に発明をすることができたものであるから、特許法第２９条第２項の規定により特許を受けることができないものであり、本件の特許を取り消すべきであると主張している。また、申立人三協アルミニウム工業株式会社は、甲第１号証（特願平５−３２３９０２号の願書に最初に添付した明細書又は図面（特開平７−１８０４５２号公報で援用する））を提出して、本件請求項１に係る特許発明は、本件の出願日前の他の出願であって、その出願後に出願公開された、甲第１号証に記載された発明と同一であり、本件特許に係る出願の発明者と出願人は出願の当初から同一ではないから、特許法第２９条の２の規定により特許を受けることができないものであり、本件の特許を取り消すべきであると主張している。
　
（３）特許法第２９条の２に関して
　申立人三協アルミニウム工業株式会社の提出した甲第１号証には、明細書（以下、「先願明細書」という。）の段落【００１２】、【００１３】、【００１８】、【００１９】及び第１図の記載からみて、サッシの両側の竪枠がシャッターボックスの両側端面を覆うように配設され、シャッターボックスは、建物の躯体から張り出すボックスの上枠と、該上枠の下方においてこれに対向して張り出す、サッシの上部横枠でもあるボックスの下枠と、ボックスの上枠とボックスの下枠の室内側間に躯体に沿って配設される補助枠と、ボックスの上枠の室外側に補助枠と対向するように着脱自在に取り付けられたシャッターカバーとで構成されていて、ボックスの下枠及び補助枠は建物の躯体に固定され、ボックスの上枠とシャッターボックスの両側端面を覆うサッシの両側の竪枠の見込幅は外壁材の厚みよりも大きく形成し、サッシの竪枠に設けたガイドレールに沿ってシャッターボックスからシャッターを引き出して窓を覆うシャッター付きサッシにおけるシャッターボックスの取付構造（以下、「先願発明」という。）が記載されている。
　しかしながら、先願明細書に記載された先願発明は、訂正後発明のシャッターボックスを建屋躯体に設けたボックス取付枠に取り付けるという構成を有しておらず、また、サッシ枠をボックス取付枠よりも屋外側に張り出すように形成し、シャッターボックスをサッシ枠の屋外側の張り出し部上に配置するという構成もないから、訂正後発明と同一とはいえない。
　
（４）特許法第２９条第１項第３号及び特許法第２９条第２項に関して
　申立人斉藤敬三の提出した甲第１号証には、実用新案登録請求の範囲、第４頁第２行から第５頁第４行の記載及び第１〜４図を参照すると、「サッシ枠の上側の横枠の上方にシャッターの収納ボックスを固定し縦枠に沿って収納ボックスからシャッターを引き出して開口を覆うシャッター付きサッシュの、上側の横枠と、この上側の横枠よりも上方まで延出されている左右の縦枠の延出部分と、この延出部分の上端間を連結する別の横枠とからシャッターの収納ボックスの取付枠を形成し、縦枠を充分な強度で建物躯体の屋外側に装着し、別の横枠と上側の横枠との間には建物躯体との間で外壁が取付けられ、シャッターの収納ボックスを建物躯体に装着したシャッターの収納ボックスの取付枠に固定した、シャッターの取付け構造」が記載されている。
　同、甲第２号証には、第１７頁の「シャッターユニットは、ボックス前面部よりカバーをはずして容易に脱着できる構造としています。」の記載及び図面、第３４頁「組み立て・取り付け　各部の名称」外観姿図、第３８頁「組み立て・取り付け　２．枠の取り付け　組んだ枠を躯体にはめた後、下図の位置をねじ止めしてください。」の記載及び図面及び第５７頁の基準図（竪断面、横断面）からみて、「サッシ枠のサッシ上枠上方にシャッターボックスを形成し竪枠に設けたガイドレールに沿ってシャッターボックスからシャッターを引き出して開口を覆うサッシの、サッシ上枠と、このサッシ上枠よりも上方の左右竪枠の上方部分と、その上端部に配されるシャッター上枠と、左右竪枠の上方部分とサッシ上枠とシャッター上枠の建屋躯体側を遮蔽する上枠補助からシャッターボックスを形成し、シャッター上枠と左右竪枠の上方部分の見込幅は建屋躯体の外壁の厚みよりも大きく形成し、シャッター上枠と左右竪枠を建屋躯体を構成する躯体基礎材の屋外側に取り付けた、シャッター一体サッシの取付構造」が記載されている。
　本件訂正後発明と、甲第１号証に記載された発明とを比較すると、甲第１号証に記載された発明の「上側の横枠」、「シャッターの収納ボックス」、「開口」、「上側の横枠よりも上方まで延出されている左右縦枠の延出部分」、「延出部分の上端間を連結する別の横枠」、「シャッターの収納ボックスの取付枠」及び「シャッターの取付け構造」は、それぞれの機能に照らし、各々、訂正後発明の「サッシ上枠」、「シャッターボックス」、「窓」、「左右のボックス縦枠」、「ボックス上枠」、「ボックス取付枠」及び「シャッターボックスの取付構造」に相当するから、両者は、サッシ枠のサッシ上枠上方にシャッターボックスを取り付けてサッシ縦枠に設けたシャッターレールに沿ってシャッターボックスからシャッターを引き出して窓を覆うシャッター付きサッシにおいて、上記シャッターボックスを建屋躯体に設けたボックス取付枠に取り付けるとともに、上記ボックス取付枠をボックス上枠と左右のボックス縦枠及びボックス下枠とから形成し、ボックス取付枠のボックス上枠と左右のボックス縦枠を建屋躯体を構成する躯体基礎材の屋外側に取り付けるシャッター付きサッシにおけるシャッターボックスの取付構造の点で一致し、下記の点で相違している。
ａ．訂正後発明では、ボックス取付枠の建屋躯体側にはボックス取付枠と躯体基礎材とを遮蔽する遮蔽板を設けたのに対し、甲第１号証に記載された発明では、別の横枠と上側の横枠との間に建物躯体との間で外壁が取付けられているが、シャッターの収納ボックスの取付枠と躯体基礎材とを遮蔽する遮蔽板であるか否か不明である点。
ｂ．訂正後発明では、ボックス上枠と左右のボックス縦枠の見込幅は建屋躯体の外壁の厚みよりも大きく形成されているのに対し、甲第１号証に記載された発明では、そのような構成を有していない点。
ｃ．訂正後発明では、サッシ枠をボックス取付枠よりも屋外側に張り出すように形成し、シャッターボックスをサッシ枠の屋外側の張り出し部上に配置するのに対し、甲第１号証に記載された発明では、そのような構成を有していない点。
　ここで、甲第２号証に記載された発明をみると、甲第２号証に記載された発明は、「シャッターボックスの建屋躯体側を遮蔽する上枠補助（訂正後発明の「遮蔽板」に対応）」や「シャッター上枠（訂正後発明の「ボックス上枠」に対応）と左右竪枠の上方部分（訂正後発明の「左右のボックス縦枠」に対応）の見込幅は建屋躯体の外壁の厚みよりも大きく形成されている」という構成を有しているが、甲第２号証に記載された発明は、本件で従来の技術として開示されているサッシとシャッターボックスとを一体に形成しておき一度に施工するタイプのサッシであり、訂正後発明の「ボックス取付枠」に相当する構成を有していないから、これと、ボックス取付枠を用いてシャッターボックスを取り付ける甲第１号証に記載された発明とを組み合わせる起因も見出せず、また、甲第２号証には、サッシ枠をボックス取付枠よりも屋外側に張り出すように形成し、シャッターボックスをサッシ枠の屋外側の張り出し部上に配置する点は記載されていないから、甲第１号証と甲第２号証に記載された発明を組合わせても、上記相違点ａないしｃにおける訂正後発明のようにすることは、当業者が容易に想到することができたものとはいえない。そして、訂正後発明は、当該事項によって明細書記載の作用効果を奏するものである。
　以上のとおり、訂正後発明は、上記甲第１号証に記載された発明と同一又は実質的に同一であるとも、甲第１号証と甲第２号証に記載された発明に基づいて、当業者が容易に発明をすることができたものであるともいえない。        
　
５．むすび
　以上のとおりであるから、異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１３年５月７日（２００１．５．７）
【訂正の要旨】
訂正の要旨
　特許第３０３９９２０号の明細書を、特許請求の範囲の減縮を目的として訂正事項ａ、のように、また、訂正事項ａに関連してなされた明りょうでない記載の釈明を目的として訂正事項ｂのように訂正する。
　訂正事項ａ：特許請求の範囲の【請求項１】を、次のように訂正する。
　サッシ枠のサッシ上枠上方にシャッターボックスを取り付けてサッシ縦枠に設けたシャッターレールに沿ってシャッターボックスからシャッターを引き出して窓を覆うシャッター付きサッシにおいて、上記シャッターボックスを建屋躯体に設けたボックス取付枠に取り付けるとともに、上記ボックス取付枠をボックス上枠と左右のボックス縦枠及びボックス下枠とから形成し、上記ボックス上枠と左右のボックス縦枠の見込幅を建屋躯体の外壁の厚みよりも大きく形成し、ボックス取付枠のボックス上枠と左右のボックス縦枠を建屋躯体を構成する躯体基礎材の屋外側に取り付け、ボックス取付枠の上記建屋躯体側にはボックス取付枠と上記躯体基礎材とを遮蔽する遮蔽板を設けるとともに、上記サッシ枠を上記ボックス取付枠よりも屋外側に張り出すように形成し、上記シャッターボックスを上記サッシ枠の屋外側の張り出し部上に配置することを特徴とするシャッター付きサッシにおけるシャッターボックスの取付構造。
　訂正事項ｂ：明細書の段落【０００６】の記載を、次のように訂正する。
　【課題を解決するための手段】前記課題を解決するため、本発明に係るシャッター付きサッシにおけるシャッターボックスの取付構造は、サッシ枠のサッシ上枠上方にシャッターボックスを取り付けてサッシ縦枠に設けたシャッターレールに沿ってシャッターボックスからシャッターを引き出して窓を覆うシャッター付きサッシにおいて、上記シャッターボックスを建屋躯体に設けたボックス取付枠に取り付けるとともに、上記ボックス取付枠をボックス上枠と左右のボックス縦枠及びボックス下枠とから形成し、上記ボックス上枠と左右のボックス縦枠の見込幅を建屋躯体の外壁の厚みよりも大きく形成し、ボックス取付枠のボックス上枠と左右のボックス縦枠を建屋躯体を構成する躯体基礎材の屋外側に取り付け、ボックス取付枠の上記建屋躯体側にはボックス取付枠と上記躯体基礎材とを遮蔽する遮蔽板を設けるとともに、上記サッシ枠を上記ボックス取付枠よりも屋外側に張り出すように形成し、上記シャッターボックスを上記サッシ枠の屋外側の張り出し部上に配置することを特徴とする。
（５４）【発明の名称】
シャッター付きサッシにおけるシャッターボックスの取付構造
（５７）【特許請求の範囲】
　【請求項１】　
サッシ枠の
るとともに、上記サッシ枠を上記ボックス取付枠よりも屋外側に張り出すように形成し、上記シャッターボックスを上記サッシ枠の屋外側の張り出し部上に配置する
【発明の詳細な説明】
　【０００１】
　【発明の属する技術分野】
　本発明はシャッター付きサッシにおけるシャッターボックスの取付構造に関する。
　【０００２】
　【従来の技術】
　近年、建屋の開口部に取り付けるサッシ窓には、雨戸の代りにシャッターボックスを付設し、シャッターボックスからシャッターを引き出し、サッシ縦枠に設けたシャッターレールに沿って摺動して窓を覆うシャッター付きサッシが増えている。このようなシャッター付きのサッシとしては、サッシとシャッターボックスとをそれぞれ直接に建屋躯体に取り付けるものが知られている。
　【０００３】
　【発明が解決しようとする課題】
　ところで、前述のシャッター付きサッシでは、シャッターボックスの周縁にシーリング処理や外壁仕上げがなされるので、それらの施工を行なう前にシャッターボックスと取り付けなければならない。また、取付後のシャッターの保守作業を行なう場合、シャッターボックスの前部を開いて行なう簡単な修理はできるが、シャッターボックス自体を交換する必要があるような場合には、外壁を壊してシャッターボックスを取り外さなければならないので、作業が非常に複雑になり、費用も嵩むという問題がある。
　【０００４】
　このように、従来の方式では、シャッターボックスを直接に建屋躯体に取り付ける構成としているので、外壁の施工前にシャッターボックスを取り付けなくてはならなかった。逆に言えば、シャッターボックス取付後でなくては外壁の施工ができなかった。また、シャッターボックスの取り外し、交換等の作業は実際上ほとんど不可能なので、シャッターボックスの前壁を取り外して行なう程度の限定的な保守作業しかできなかった。
　【０００５】
　本発明は前記問題点を解消し、標準規格の建屋開口部に取り付けられるとともに、シャッターボックスの取り付けを外壁の施工前、施工後のいずれでも可能とし、さらにシャッターボックスの取り外し、交換等も簡単に行なうことができるシャッターボックス付きサッシを提供することをその課題とする。
　【０００６】
　【課題を解決するための手段】
　前記課題を解決するため、本発明に係る
シャッター付きサッシにおけるシャッターボックスの取付構造は、サッシ枠の
るとともに、上記サッシ枠を上記ボックス取付枠よりも屋外側に張り出すように形成し、上記シャッターボックスを上記サッシ枠の屋外側の張り出し部上に配置する
　【０００７】
　【発明の実施の形態】
　図１はシャッター付きサッシで、このサッシは障子等を収納するサッシ枠ａとシャッターボックスを取り付けるボックス取付枠ｂとを一体に形成したもので、図２に示される建屋開口部ｃに取り付け可能に構成されている。
　【０００８】
　なお、建屋開口部ｃは詳しくは同図のように通常の軸組み工法によって構成された標準規格の開口部ｃで、土台５の上部に配設された根太６と、根太６から立設された２本の柱７と、柱７間に配置されたまぐさ８との間に形成されている。なお、柱７の両側にも複数の柱７ａが配設され、まぐさ８の上部には間柱９が取り付けられている。これらの根太６、柱７、７ａ、まぐさ８、間柱９等は外壁の下地材でもある。
　【０００９】
　サッシ枠ａは縦枠１と、この縦枠１の中途部に配される中枠２と、縦枠１の下端部に配される下枠３とから枠組み形成されている。また、サッシ枠ａの屋内側は建屋開口部ｃに嵌合されるように形成されている。したがって、上記縦枠１はサッシ縦枠を、中枠２はサッシ上枠を構成している。
　【００１０】
　縦枠１は通常の半外付けサッシとほぼ同じ断面形状を有し、縦枠１のサッシ枠ａに対応する部分は、中枠２と下枠３の形状に応じて屋内側と屋外側に張り出し、屋外側の張り出し部１ａにはシャッターレール１３が固定されている。屋内側の張り出し部１ｂは建屋の開口部ｃの内側に嵌合するように形成されている。さらに、縦枠１のボックス取付枠ｂに対応する部分の屋内側端面１４は、建屋の開口部ｃの上部に設けられた躯体基礎材（間柱９）の外面に当接するように形成されている。
　【００１１】
　中枠２と下枠３も、それぞれ通常の半外付けサッシの上枠と下枠と基本的にほぼ同じ断面形状を有し、中枠２の下面には障子案内縁１５と網戸案内縁１６と額縁の受け縁１７とが形成され、上面には取付縁１８が形成されているとともに、この取付縁１８には係合溝１９が形成されている。下枠３の上面には障子レール２０と網戸レール２１とシャッター受け縁２２と床材受け縁２３とが形成され、下面には取付縁２６が形成されている。
　【００１２】
　ボックス取付枠ｂはシャッターボックス２４を取り付け可能に形成されたもので、上記中枠２と、この中枠２よりも上方に延出された縦枠１の延長部２５と、この延長部２５の上端部に配される上枠４とから方形に枠組み形成されている。このように、中枠２はボックス下枠を、縦枠１の延長部２５はボックス縦枠を、また上枠４はボックス上枠を構成している。中枠２はサッシ上枠をも兼用している。上枠４の屋外側には垂下縁３０が形成され、この垂下縁３０にはシャッターボックス２４の取付溝２７が形成されている。また、上枠４の屋内側には取付縁２８が上向きに形成され、取付縁２８の屋外側には係合溝２９が形成され、上枠４と中枠２の係合溝２９、１９には建屋躯体が露出しないように遮蔽する遮蔽板３１が係合されている。
　【００１３】
　次に、上記サッシを建屋開口部ｃに取り付けるときは、図３に詳しく示すように、サッシ枠ａの屋内側を建屋躯体の開口部ｃの内側に嵌合するとともにボックス取付枠ｂを上記開口部ｃの上部に設けられた間の屋外側に配置し、縦枠１、上枠４、中枠２及び下枠３の各取付縁２８、１８、２６（縦枠１の取付縁は図示せず）をそれぞれ開口部ｃの柱７、まぐさ８、間柱９及び根太６に止着固定する。なお、サッシ枠ａの受け縁１７、２３（縦枠１の取付縁は図示せず）は開口部ｃの額縁３２と床材３３にも当接させて止着固定する。
　【００１４】
　サッシ枠ａの内部には障子３４と網戸３５が摺動自在に収容される。上記ボックス取付枠ｂにはシャッターボックス２４が取付けられるが、この場合、シャッターボックス２４の裏側に形成された係止片３６をボックス取付枠ｂの取付溝２７に係止させればよい。シャッターボックス２４には窓を覆うシャッター３７を巻装した巻き上げドラム３８が回転自在に支持され、ここからシャッター３７を巻き戻してサッシ枠ａの縦枠１に設けたシャッターレール１３に摺動自在に係合させる。さらに、外壁を施工する。サッシの外周面をシーリング材３９によってシールし、柱７ａ、間柱９等の躯体基礎材の屋外側には外壁材４０を施工する。外壁材４０を施工する場合、ボックス取付枠ｂのボックス上枠（４）と左右のボックス縦枠（２５）の見込幅Ｌ１は建屋躯体の外壁の厚みＬ２よりも大きくなるようにする。
　【００１５】
　なお、シャッターボックス２４は外壁を施工した後にボックス取付枠ｂに取り付けてもよい。この場合、シャッターボックス２４の取り付けに多少日数がかかるようなことがあっても、ボックス取付枠ｂには遮蔽板３１が配置されているから、雨仕舞が損なわれることがない。
　【００１６】
　上述のように、ボックス取付枠ｂは上記開口部ｃの上部の躯体基礎材（間柱９）の屋外側に取り付け可能に形成されたものであるから、通常のサッシの開口部に取り付けることができるから、設計が容易である。
　【００１７】
　また、ボックス取付枠ｂとシャッターボックス２４とは別個に構成されるので、保守等の作業時にシャッターボックス２４を取り外すのは簡単であり、シャッターボックスの交換も楽に行なうことができる。
　【００１８】
　さらに、ボックス取付枠ｂのボックス上枠（４）と左右のボックス縦枠（２５）の見込幅Ｌ１は建屋躯体の外壁の厚みＬ２よりも大きく形成され、ボックス取付枠ｂは外壁にのみ込まれないので、シャッターボックス２４とは関係なく上記サッシの取り付け時に外壁も施工することができる。したがって、サッシの施工時にはシャッターボックス２４を外しておき、サッシ取付け後、ボックス取付枠ｂにシャッターボックス２４を取り付けることができる。このように、シャッターボックスの取付けは外壁に全く影響されないので、施工が楽である。
　【００１９】
　また、ボックス取付枠ｂに対するシャッターボックス２４の取付態様は特に限定されない。どのように取り付けてもよい。上述の取付方式のほか、シャッターボックスに形成した取付縁（図示せず）を直接に取付枠部に外部からネジ止めするものでもよく、ネジ止めと係止とによる構成でもよい。
　【００２０】
　次に、図４は、サッシのサッシ枠ａの基本的構成を通常の外付けサッシと同様の構成としたもので、この例においても、サッシ枠ａとボックス取付枠ｂを一体に枠組み形成し、上記サッシ枠ａを建屋躯体の開口部ｃに固定し、ボックス取付枠ｂを上記開口部ｃの上部に設けられた躯体基礎材の屋外側に固定し、上記ボックス取付枠ｂにシャッターボックス２４を取付けたものである。なお、図３と同じ符号は同じ部品を示す。
　【００２１】
　この例の場合も、上述の例と同様に、シャッターボックス２４の取り外しや交換も簡単に行なうことができるという効果を得ることができる。
　【００２２】
　【発明の効果】
　請求項１の発明によれば、ボックス取付枠は建屋開口部の上部の躯体基礎材の屋外側に取り付け可能に形成される構成であるから、通常の標準規格のサッシの開口部の上部に取り付けることができる。したがって、設計や施工などが楽である。
　【００２３】
　また、ボックス取付枠にシャッターボックスを取り付ける構成とし、さらにボックス取付枠のボックス上枠と左右のボックス縦枠の見込幅は建屋躯体の外壁の厚みよりも大きく形成されているので、ボックス取付枠は外壁にのみ込まれない。このため、ボックス取付枠のみを取り付けた後に外壁を施工し、その後にシャッターボックスを取り付けることができる。シャッターボックスをボックス取付枠に取付けておいて外壁を施工してもよい。要するに、シャッターボックスは外壁に全く影響されることなく取り付けることができる。
　【００２４】
　さらに、保守等の作業時にシャッターボックスを取り外すことも簡単であり、シャッターボックスの交換も楽に行なうことができる。
　【００２５】
　また、遮蔽板によりシャッターボックスから建屋躯体に雨水が入り込むのが良好に防止されるので、雨仕舞がよい。
【図面の簡単な説明】
　【図１】
　本発明に係るシャッター付きサッシの縦断面図
　【図２】
　標準の建屋開口部の正面図
　【図３】
　上記シャッター付きサッシの縦断面図
　【図４】
　上記シャッター付きサッシの他の例の縦断面図
　【符号の説明】
　ａ　サッシ枠
　ｂ　ボックス取付枠
　１　縦枠
　２　中枠（ボックス下枠）
　３　下枠
　４　上枠（ボックス上枠）
　１３　シャッターレール
　２４　シャッターボックス
　２５　縦枠の延長部（ボックス縦枠）